(57)【要約】【課題】  シャワーに対する動物の嫌悪を少なくすることができて、動物の洗い作業を楽に行うことができるシャワーヘッドを提供すること。【解決手段】  シャワーヘッドのヘッドハウジング１０は、シャワーヘッド本体１１と、取付部材１３と、ブラシ体１４とを備えている。ブラシ体１４は、ブラシ３２ａ，３２ｂ，３２ｃを突出形成している。ブラシ体１４の外周部には第１吐水口４１ａ，４１ｂが、中央部には第２吐水口４２が貫設されている。ブラシ体１４には通路部４３が突出形成され、その通路部４３には水源側の反対側を指向するとともに、前記第２吐水口４２と連通する導入口４４が形成されている。導入口４４に至る経路は、通路部４３の側方を迂回する迂回流路になっている。このため、吐水圧が低下して動物が嫌悪するのを抑えることができる。【選択図】      図４
2006254859.tif 000002
【特許請求の範囲】
【請求項１】
ヘッドハウジングの下部に複数の突起よりなるブラシを設けたシャワーヘッドにおいて、
前記ヘッドハウジングの下部に前記ブラシの配置領域外において複数の吐水口を設け、
前記ヘッドハウジングの内部に迂回流路を形成し、前記吐水口を前記迂回流路の下流に設けたことを特徴とするシャワーヘッド。
【請求項２】
前記吐水口の上流側に設けた水道水導入口をヘッドハウジング内において水源の反対側を指向させることにより前記迂回流路を形成したことを特徴とする請求項１に記載のシャワーヘッド。
【請求項３】
前記吐水口を複数設け、少なくとも一つの吐水口を前記迂回流路に接続したことを特徴とする請求項１または２に記載のシャワーヘッド。
【請求項４】
ブラシが吐水口間の部分に位置することを特徴とする請求項３に記載のシャワーヘッド。
【請求項５】
ヘッドハウジングは、内側室を有するとともに、下面を開放した本体と、本体の開放部に取り付けられた取付部材と、前記本体と取付部材との間に設けられ、前記ブラシを有するブラシ体とにより構成し、前記吐水口をブラシ体上に形成するとともに、前記迂回流路を本体とブラシ体との間に設けたことを特徴とする請求項１〜４のうちのいずれか一項に記載のシャワーヘッド。
【請求項６】
前記取付部材をヘッドハウジングに対して着脱可能に構成し、取付部材をヘッドハウジングから外すことにより、前記ブラシ体を着脱できるように構成したことを特徴とする請求項５に記載のシャワーヘッド。
【請求項７】
吐水口が３箇所に並設形成されるとともに、ブラシが中央部の吐水口の両側に位置することを特徴とする請求項３〜６のうちのいずれか一項に記載のシャワーヘッド。
【発明の詳細な説明】
【技術分野】
【０００１】
この発明は、ブラシを有するシャワーヘッドに関するものであって、特に、ペット犬等の動物を洗う場合に好適なシャワーヘッドに関するものである。
【背景技術】
【０００２】
この種のシャワーヘッドは、例えば、下記の特許文献１〜５に開示されている。これらの特許文献１〜５に開示されたシャワーヘッドは、いずれの構成も給水源から供給された水道水がシャワーヘッドの下面の小孔に直接供給され、その小孔から噴出されるようになっている。
【特許文献１】特開平３−４５２０３号公報
【特許文献２】実開平６−２１７５７号公報
【特許文献３】特開平３−４５２０３号公報
【特許文献４】特開平４−２１０００４号公報
【特許文献５】登録実用新案第３１０１３０５号公報
【発明の開示】
【発明が解決しようとする課題】
【０００３】
従って、前記特許文献１〜５のいずれのシャワーヘッドにおいても、シャワー水が動物に対して強く当たることになる。このために、動物はシャワーを嫌悪して、暴れたり、逃げたりし、シャワーによる洗い作業が困難であった。特に、例えば特許文献１〜３に記載のシャワーヘッドにおいては、放水用の小孔がブラシ毛の先端に形成されているため、その小孔は小径となって放水の勢いが強くなるばかりでなく、放水孔の位置が動物に近くなって、動物の嫌悪が倍加されるものであった。
【０００４】
この発明の目的は、以上のような問題点を解消して、シャワーに対する動物の嫌悪を少なくすることができ、動物の洗い作業を楽に行うことができるシャワーヘッドを提供することにある。
【課題を解決するための手段】
【０００５】
以上の目的を達成するために、請求項１に記載の発明においては、ヘッドハウジングの下部に複数の突起よりなるブラシを設けたシャワーヘッドにおいて、前記ヘッドハウジングの下部に前記ブラシの配置領域外において複数の吐水口を設け、前記ヘッドハウジングの内部に迂回流路を形成し、前記吐水口を前記迂回流路の下流に設けたことを特徴とする。
【０００６】
請求項２に記載の発明においては、請求項１に記載の発明において、前記吐水口の上流側に設けた水道水導入口をヘッドハウジング内において水源の反対側を指向させることにより前記迂回流路を形成したことを特徴とする。
【０００７】
請求項３に記載の発明においては、請求項１または２に記載の発明において、前記吐水口を複数設け、少なくとも一つの吐水口を前記迂回流路に接続したことを特徴とする。
請求項４に記載の発明においては、請求項３に記載の発明において、ブラシが吐水口間の部分に位置することを特徴とする。
【０００８】
請求項５に記載の発明においては、請求項１〜４のうちのいずれか一項に記載の発明において、ヘッドハウジングは、内側室を有するとともに、下面を開放した本体と、本体の開放部に取り付けられた取付部材と、前記本体と取付部材との間に設けられ、前記ブラシを有するブラシ体とにより構成し、前記吐水口をブラシ体上に形成するとともに、前記迂回流路を本体とブラシ体との間に設けたことを特徴とする。
【０００９】
請求項６に記載の発明においては、請求項５に記載の発明において、前記取付部材をヘッドハウジングに対して着脱可能に構成し、取付部材をヘッドハウジングから外すことにより、前記ブラシ体を着脱できるように構成したことを特徴とする。
【００１０】
請求項７に記載の発明においては、請求項３〜６のうちのいずれか一項に記載の発明において、吐水口が３箇所に並設形成されるとともに、ブラシが中央部の吐水口の両側に位置することを特徴とする。
【００１１】
請求項１に記載の発明においては、吐水口を迂回流路の下流に設けたことにより、吐水圧力を低下させることができる。従って、動物に嫌悪感を抱かせるのを抑制しつつ、その動物を洗い流すことができる。
【００１２】
請求項２に記載の発明においては、前記迂回流路が吐水口の上流側に設けた水道水導入口を水源の反対側を指向させることにより形成されているため、迂回流路を効果的に迂回させて、吐水圧力を低下させることができる。
【００１３】
請求項３に記載の発明においては、吐水口を複数設けたため、各吐水口からの吐水圧を低下させることができる。
請求項４に記載の発明においては、ブラシが吐水口間の部分に位置することにより、動物の毛並みに逆らって洗い流す場合には、ブラシにより毛を逆立てながら洗い流すことができ、毛並みに沿って洗い流す場合には、毛並みを整えながら洗い流すことができる。
【００１４】
請求項５に記載の発明においては、本体と、取付部材との間にブラシ体を挟んで固定でき、ブラシ体の固定のための専用部品が不要で、構成を簡単にできる。
請求項６に記載の発明においては、ブラシ体を着脱できるため、複数種類のブラシ体を用意しておけば、目的に応じた各種の態様に対応できる。
【００１５】
請求項７に記載の発明においては、吐水口が３箇所に並設形成されるとともに、ブラシが中央部の吐水口の両側に位置するため、吐水口の配列方向にブラシも配列され、前述した動物の毛並みに逆らって洗い流す場合や、毛並みに沿って洗い流す場合に、その洗い流しを有効に行うことができる。
【発明の効果】
【００１６】
以上のように、この発明においては、動物が暴れたり、逃げたりするのを抑えることができて、その動物の洗い流しを容易に行うことができる。
【発明を実施するための最良の形態】
【００１７】
以下、この発明を具体化した実施形態を図面に基づいて説明する。
この実施形態のシャワーヘッドのヘッドハウジング１０は、図１〜図４に示すように、下面を開放したシャワーヘッド本体１１と、そのシャワーヘッド本体１１の下面開放部にねじ１２を介して着脱可能に取り付けられた取付部材１３と、シャワーヘッド本体１１と取付部材１３との間に固定保持されたブラシ体１４とを備えている。
【００１８】
前記シャワーヘッド本体１１は、ほぼドーム状をなしていて、内側室１５を備え、その内側室１５に連通する筒状のジョイント部１６を突出形成している。このジョイント部１６の外周のねじ部１７に図示しない給水ホースが着脱可能に接続される。前記内側室１５の壁面には複数の突起１８が形成されるとともに、この突起１８の底面には段差１９が形成されている。
【００１９】
前記取付部材１３はシャワーヘッド本体１１の内側室１５と連通する内側室２１を備え、その下端には幅狭のフランジ２２を介して開口２３が形成されている。
前記ブラシ体１４は、基部３１の下面に複数の細い棒状をなすブラシ３２ａ，３２ｂ，３２ｃを突出形成している。ここで、ブラシ３２ａは図４の左側、ブラシ３２ｂは図４の右側、ブラシ３２ｃはブラシ３２ａ，３２ｂ間にそれぞれ位置するものを指す。基部３１の上部外周にはフランジ３３が形成され、このフランジ３３は、前記取付部材１３の上端面と、シャワーヘッド本体１１の段差１９との間に挟持されて、ブラシ体１４の図３及び図４の上下方向における位置決めがなされている。図５〜図８に示すように、前記フランジ３３の上面には、第１〜第３凹部３４，３５，３６と、それらの間に位置する第１，第２凸部３７，３８とが形成されている。第２凹部３５は一対形成され、第１，第２凸部３７，３８は各一対形成されている。そして、第２，第３凹部３５，３６の内面に前記突起１８が係合されるとともに、突起１８は前記第１，第２凸部３７，３８の端部にも係合していて、ブラシ体１４が回り止めされている。
【００２０】
前記ブラシ３２ａ，３２ｂ，３２ｃは、取付部材１３の開口２３を介して下部外方へ突出している。また、このブラシ３２ａ，３２ｂ，３２ｃは、基部３１の中心部を除いた外周側に形成されている。
【００２１】
そして、ブラシ体１４は、そのブラシ３２ａ，３２ｂ，３２ｃの本数，太さ，長さ等の異なるものが複数種類用意され、使用態様に応じて、例えばペットの種類等に応じて適当なものが用いられる。
【００２２】
前記第１凹部３４は、前記ジョイント部１６と対応し、水道水の流路の一部を構成している。前記第２凹部３５は、１８０度離れて配置され、その第２凹部３５においてフランジ３３には第１吐水口４１ａ，４１ｂが透設されている。ここで、第１吐水口４１ａは図４の左側、第１吐水口４１ｂは同図の右側に位置するものをそれぞれ指す。また、第１吐水口４１ａ，４１ｂに対応して、基部３１の側面には案内凹部４５が形成されている。基部３１の中心部には第２吐水口４２が貫設されている。これらの第１，第２吐水口４１ａ，４１ｂ，４２は、図４の左右方向に並設されている。
【００２３】
基部３１の上面には通路部４３が突出形成され、その通路部４３には前記第１凹部３４に対して反対側を向くとともに、前記第２吐水口４２と連通する導入口４４が形成されている。従って、この導入口４４は、前記ジョイント部１６の反対側を指向している。このため、図７に矢印で示すように、ジョイント部１６から導入口４４に至る経路は、通路部４３の側方を迂回する迂回流路Ｂになっている。
【００２４】
さて、以上のように構成されたシャワーヘッドを用いてペット犬等の動物を洗うためには、まず、取付部材１３を着脱して、ブラシ体１４としてペットに合わせた適当なものをシャワーヘッドに組み付ける。シャワーヘッド内に水道水を供給すると、その水道水は、ジョイント部１６から内側室１５内に至り、第１吐水口４１ａ，４１ｂから下方へ落下される。また、内側室１５内に供給された水道水は、通路部４３の周囲を回り込んで、迂回流路Ｂを介して導入口４４から案内凹部４５に至り、その第２吐水口４２から下方へ落下する。
【００２５】
この場合、第２吐水口４２から落下する水道水は、通路部４３の両側の迂回流路Ｂからジョイント部１６に対して反対方向を指向する導入口４４を介して導かれるため、圧力損失が大きく、このため、低い圧力で外部に放出される。また、第２吐水口４２がブラシ３２ａ，３２ｂ，３２ｃの配置領域から外れたところに位置しているため、その第２吐水口４２の開口面積を大きく確保することができる。従って、水道水の放出圧力をさらに低下させることができる。
【００２６】
また、第２吐水口４２の両側に広い開口面積を有する第１吐水口４１ａ，４１ｂが設けられているため、第２吐水口４２からの放水圧力をさらに低下させることができるとともに、第１吐水口４１ａ，４１ｂからの水道水の放出圧力も低下させることができる。加えて、第２吐水口４２からの吐出水は、開口２３のフランジ２２に当たってさらに放出圧力が弱められる。
【００２７】
このため、動物に対して高い放水圧のシャワーが当たることを防止でき、その動物等がシャワー洗浄を嫌悪することが少ない。このため、動物が暴れたり、逃げたりするのを抑制して、少ない労力で動物を洗うことができる。
【００２８】
また、この実施形態では、ブラシ３２ａ，３２ｂ，３２ｃが第２吐水口４２を囲むように配置されるとともに、第１吐水口４１ａ，４１ｂがブラシ３２ａ，３２ｂの配置領域の両外側に位置し、それらの吐水口４１ａ，４１ｂ，４２が左右方向に並設されている。
【００２９】
従って、図４において、シャワーヘッドを動物Ａの毛並みと逆らう方向（図４の右方向）へ移動させながら動物Ａを洗う場合には、右側の第１吐水口４１ｂからの水道水で毛表面を洗い流し、ブラシ３２ｂで毛Ｍを逆立てながら逆立てた皮膚面を第２吐水口４２からの水道水で洗い流す。ブラシ３２ｂの作用で残った毛は、もう一方のブラシ３２ａで逆立てて、逆立てた皮膚面を左側の第１吐水口４１ａからの水道水で効果的に洗い流すことができる。
【００３０】
また、図４において、シャワーヘッドを動物Ａの毛Ｍの毛並みに沿う方向（図４の左方向）へ移動しながら動物Ａを洗う場合には、左側の第１吐水口４１ａからの水道水で毛表面を洗い流し、左側のブラシ３２ａで毛並みを整え、整えたところで第２吐水口４２からの水道水で洗い流す。さらに右側のブラシ３２ｂで手並みを整え、右側の第１吐水口４１ｂからの水道水で再度洗い流す。よって、洗い流しや毛並みの整えを効果的に行うことができる。
【００３１】
なお、左右のブラシ３２ａ，３２ｂ間のブラシ３２ｂは、動物Ａの毛Ｍを梳る作用の他に、第２吐水口４２からの水の飛散を抑制する作用を有する。
以上に述べたこの実施形態の効果を列挙すれば、以下の通りである。
【００３２】
・  ブラシ３２ａ，３２ｂ，３２ｃの配置領域外において複数の吐水口４１ａ，４１ｂ，４２を設けているため、第１，第２吐水口４１ａ，４１ｂ，４２として開口面積の大きなものを形成できる。このため、吐水圧力を低下させることができる。このため、ペット犬等がシャワー洗浄を嫌悪するのを抑制できる。
【００３３】
・  吐水口４１ａ，４１ｂ，４２を迂回流路Ｂの下流に設けたことにより、吐水圧力をさらに低下させることができる。
・  第２吐水口４２の上流側に設けた導入口４４を水源の反対側を指向させることにより迂回流路Ｂが形成されているため、迂回流路Ｂを効果的に迂回させて、吐水圧力を低下させることができる。
【００３４】
・  取付部材１３の開口２３にフランジ２２が設けられているため、このフランジ２２により吐出水の放出圧力をさらに低下できる。
・  シャワーヘッド本体１１と、取付部材１３との間にブラシ体１４を挟んで固定でき、ブラシ体１４の固定のための専用部品が不要で、構成を簡単にできる。
【００３５】
・  ブラシ体１４を複数種類用意しておけば、取付部材１３の着脱により、動物の種類等に応じて適当なブラシ体１４を交換使用でき、洗い流しの各種態様に有効に対応できる。
【００３６】
・  ブラシ３２ａ，３２ｂ，３２ｃが第１，第２吐水口４１ａ，４１ｂ、４２間の部分に位置することにより、動物の毛並みに逆らって洗い流す場合には、ブラシにより毛を逆立てながら洗い流すことができ、毛並みに沿って洗い流す場合には、毛並みと整えながら洗い流すことができる。特に、第１，第２吐水口４１ａ，４１ｂ、４２が３箇所に形成されるとともに、ブラシ３２ａ，３２ｂが中央部の第２吐水口４２の両側に位置するため、第１，第２吐水口４１ａ，４１ｂ，４２とブラシ３２ａ，３２ｂとが交互に配列され、前述した動物の毛並みに逆らって洗い流す場合や、毛並みに沿って洗い流す場合に、その洗い流しを有効に行うことができる。
【００３７】
なお、この発明は、前記実施形態に限定されるものではなく、以下のような態様で具体化することも可能である。
・  ブラシ体１４として、ブラシ３２ａ，３２ｂ，３２ｃの根本部に小径の吐水口を設けたものを用意し、それをシャワーヘッド本体１１と取付部材１３との間に着脱可能に取付けることができるように構成すること。
【００３８】
・  ブラシ体１４として、人間用に用いることができるもの、例えばブラシ３２ａ，３２ｂ，３２ｃの根本部に小径の吐水口を設けるとともに、短く細いブラシを有するものを用意し、それをシャワーヘッド本体１１と取付部材１３との間に着脱可能に取付ることができるように構成すること。
【図面の簡単な説明】
【００３９】
【図１】シャワーヘッドを示す斜視図。
【図２】同じく側面図。
【図３】同じく縦断面図。
【図４】図３とは異なる位置で切断して示す縦断面図。
【図５】シャワーヘッドの底面図。
【図６】ブラシ体の斜視図。
【図７】シャワーヘッドの横断面図。
【図８】シャワーヘッドの分解断面図。
【符号の説明】
【００４０】
１０…ヘッドハウジング、１１…シャワーヘッド本体、１３…取付部材、１４…ブラシ体、１５…内側室、３２ａ，３２ｂ，３２ｃ…ブラシ、４１ａ，４１ｂ…第１吐水口、４２…第２吐水口、４４…導入口、Ｂ…迂回流路。
【図１】
2006254859.tif 000003
【図２】
2006254859.tif 000004
【図３】
2006254859.tif 000005
【図４】
2006254859.tif 000006
【図５】
2006254859.tif 000007
【図６】
2006254859.tif 000008
【図７】
2006254859.tif 000009
【図８】
2006254859.tif 000010